(57)【要約】【課題】運搬車両の台数を少なくして鉱山の経費を削減し、タイミング良く鉱山生産物を運搬し、また運搬車両の積み込み待ち時間を少なくして鉱山の生産量を上げることができる鉱山運搬管理システムを提供すること。【解決手段】鉱山運搬管理システムにおいて、通信手段を備えた複数の自走車両と、通信手段を備えた複数のベッセルと、通信手段を備えた積込機械と、処理設備と、通信手段を備えた管理センタとを有し、自走車両とベッセルとは結合及び分離可能であり、前記管理センタは、処理設備からの運搬要求信号に基いて、運搬すべきベッセルを選択し、またベッセルを運搬すべき自走車両を選択し、選択した自走車両に運搬指令信号を送信することにより自走車両がベッセルと結合して処理設備まで走行するようにしたことを特徴とする鉱山運搬管理システム。【選択図】　　　　図１
2004102322.tif 000002
【特許請求の範囲】
【請求項１】
鉱山運搬管理システムにおいて、通信手段を備えた複数の識別可能な自走車両と、通信手段を備えた複数の識別可能なベッセルと、通信手段を備えた積込機械と、処理設備と、通信手段を備えた管理センタとを有し、自走車両とベッセルとは結合及び分離可能であり、前記管理センタは、前記処理設備からの運搬要求信号に基いて、運搬すべきベッセルを選択し、またベッセルを運搬すべき自走車両を選択し、選択した自走車両に運搬指令信号を送信することにより自走車両がベッセルと結合して処理設備まで走行するようにしたことを特徴とする鉱山運搬管理システム。
【請求項２】
前記自走車両が処理設備で排土した後に、前記自走車両に走行指令信号を送信し、前記自走車両が指定位置まで走行して前記ベッセルを分離するようにしたことを特徴とする請求項１記載の鉱山運搬管理システム。
【請求項３】
鉱山運搬管理方法において、通信手段を備えた複数の識別可能な自走車両からの信号と、通信手段を備えた複数の識別可能なベッセルからの信号と、通信手段を備えた積込機械からの信号とを通信手段を備えた管理センタが受信し、処理設備からの運搬要求信号に基いて、前記管理センタは運搬すべきベッセルを選択し、またベッセルを運搬すべき自走車両を選択した後に、選択した自走車両に運搬指令信号を送信することにより、ベッセルとは結合及び分離可能な自走車両がベッセルと結合して前記処理設備まで走行するようにしたことを特徴とする鉱山運搬管理方法。
【発明の詳細な説明】
【０００１】
【発明の属する技術分野】
本発明は、鉱山運搬管理システム及び方法に関する。
【０００２】
【従来の技術】
鉱山では、油圧ショベルなどの掘削機械が、掘削を行い、掘削した鉱石を運搬車両であるダンプトラックに積載し、ダンプトラックは生産物である鉱石を処理設備のホッパまで運び投入している。このような鉱山では生産量を確保するために、鉱山の複数の場所で、掘削を行い生産物である鉱石を運搬する必要があり、運搬車両であるダンプトラックを多数使用している。
【０００３】
また、鉱山では、複数の場所で、さまざまな種類、成分の鉱石、例えば鉄鉱山では、鉄の純度が高い鉱石、鉄の純度が低い鉱石などを掘削しており、鉱石を破砕して必要な成分に調整する処理施設では、どの成分の鉱石がどれくらい必要であるかを掘削現場に指示を出して、ダンプトラックが必要な鉱石を運搬してホッパに投入するようにしている。
【０００４】
【発明が解決しようとする課題】
しかしながら、ダンプトラックは高価な機械でありその台数が多いと鉱山の経費は膨大なものとなってしまう。従って、ダンプトラックの台数を極力少なくして鉱山の経費を削減し、効率よく鉱石を運搬することが生産量を上げるために必要となっている。
【０００５】
また、必要な鉱石を必要な量タイミングよく処理施設に投入するには、作業機械である油圧ショベルやダンプトラックの位置を常に把握する必要がある。その一例として、特開２０００−０９９１４３号公報には作業機械の作業位置を管理センタへ通信するシステムが開示されているが、この技術だけでは効率よく生産物である鉱石を運搬するには不十分である。
【０００６】
また、鉱山では、掘削機械の掘削現場では積み込み待ちのダンプトラックが待機しており、この積み込み待ち時間を少なくして効率を上げ、鉱山の生産量を上げることが望まれている。
【０００７】
本発明は、上記の問題点に着目してなされたものであり、運搬車両の台数を少なくして鉱山の経費を削減し、タイミングよく鉱山生産物を運搬し、また運搬車両の積み込み待ち時間を少なくして鉱山の生産量を上げることができる鉱山運搬管理システム及び方法を提供することを目的としている。
【０００８】
【課題を解決するための手段、作用及び効果】
上記の目的を達成するために、第１の発明は、鉱山運搬管理システムにおいて、通信手段を備えた複数の識別可能な自走車両と、通信手段を備えた複数の識別可能なベッセルと、通信手段を備えた積込機械と、処理設備と、通信手段を備えた管理センタとを有し、自走車両とベッセルとは結合及び分離可能であり、前記管理センタは、前記処理設備からの運搬要求信号に基いて、運搬すべきベッセルを選択し、またベッセルを運搬すべき自走車両を選択し、選択した自走車両に運搬指令信号を送信することにより自走車両がベッセルと結合して処理設備まで走行するようにした構成としている。
【０００９】
第１の発明によると、必要なときにタイミングよく、必要な鉱石を必要な量、自走車両が分離可能なベッセルを搭載して鉱石を運搬するので、従来のようにダンプトラックを多数揃えるよりも、必要なベッセルと、ベッセルを運搬するのに、高価な自走車両は、必要な台数のみを揃えればよいので車両経費が大幅に削減される。
【００１０】
また、タイミング良く必要な種類、及び量の鉱石が運搬できるので鉱山の生産が効率的に行える。
【００１１】
また、自走車両を必要なときにすでに積載されたベッセルの位置に走行させればよいので、従来のようにダンプトラックが積載のために待機するような待ち時間の発生がなく、鉱山での鉱石の運搬が効率的に行うことができる。
【００１２】
第２の発明は、第１の発明において、前記自走車両が処理設備で排土した後に、前記自走車両に走行指令信号を送信し、前記自走車両が指定位置まで走行して前記ベッセルを分離するようにした構成としている。
【００１３】
第２の発明によると、ベッセルが必要な現場に、ベッセルを過不足なく配置することができる。
【００１４】
第３の発明は、鉱山運搬管理方法において、通信手段を備えた複数の識別可能な自走車両からの信号と、通信手段を備えた複数の識別可能なベッセルからの信号と、通信手段を備えた積込機械からの信号とを通信手段を備えた管理センタが受信し、処理設備からの運搬要求信号に基いて、前記管理センタは運搬すべきベッセルを選択し、またベッセルを運搬すべき自走車両を選択した後に、選択した自走車両に運搬指令信号を送信することにより、ベッセルとは結合及び分離可能な自走車両がベッセルと結合して前記処理設備まで走行するようにした方法としている。
【００１５】
第３の発明によると、必要なときにタイミング良く、必要な鉱石を必要な量、自走車両がベッセルを搭載して鉱石を運搬するので、従来のようにダンプトラックを多数揃えるよりも、必要なベッセルと、ベッセルを運搬するのに必要な台数の自走車両を揃えればよいので車両経費が大幅に削減される。
【００１６】
また、タイミング良く必要な種類、及び量の鉱石が運搬できるので鉱山の生産が効率的に行える。
【００１７】
また、自走車両を必要なときにすでに積載されたベッセルの位置に操向させればよいので、従来のようにダンプトラックが積載のために待機するような待ち時間の発生がなく、鉱山での鉱石の運搬が効率的に行うことができる。
【００１８】
【発明の実施の形態】
以下に本発明に係る鉱山運搬管理システムの実施形態について、図面を参照して詳述する。図１は鉱山運搬管理システム１０の構成を示す図である。図１において、掘削積込機械の一例である複数の油圧ショベル１は、鉱山の現場で鉱石を掘削し、ベッセル３に鉱石を積み込んで積載している。複数のベッセル３は必要な現場である掘削現場Ａ，Ｂ，Ｃ，・・・・・，Ｎにそれぞれ配置されている。複数の自走車両２はそれぞれ、鉱山内を走行し、また掘削された鉱石が積載されたベッセル３を搭載し、また空荷のベッセル３を搭載して、また所定の現場に向かってそれぞれ走行している。自走車両２は、鉱石を破砕して所定の成分に調整するための処理施設４のホッパ４１に鉱石を排土する。処理施設４は管理センタ５とは通信を行うための回線４２で接続されている。管理センタ５はコントローラ５２を備えており鉱山の運搬に関するデータ処理を行う。
【００１９】
油圧ショベル１は現在位置を検出する図示しないＧＰＳを備えており、油圧ショベル１に備えた掘削機通信手段１１により、油圧ショベル１の現在位置を常時管理センタ５へ通信している。また、油圧ショベル１は複数の油圧ショベル１を識別するための、例えばＥ００１，Ｅ００２，・・・，Ｅ００Ｎというような掘削機番号コードと、油圧ショベル１が掘削作業中か、ベッセル３への積載作業中か、掘削・積載を繰り返す掘削・積載作業中か、作業停止中かを表す作業状態コードと、どのベッセル３にどの鉱石をどのくらいの量を積載したかを表す積載状態コードを掘削機通信手段１１により常時管理センタ５へ通信している。また、掘削機通信手段１１による管理センタ５への通信は積載が終了した時点でも、管理センタ５から送信要求があった時点でも、所定時間毎でも良い。
【００２０】
図２に示すように、自走車両２はベッセル３を搭載して走行するようになっている。自走車両２は前後部に車輪２３，２３を備え、図示しない、エンジンと動力伝達装置により、車輪２３，２３を駆動し、図示しない操向装置で操向し、図示しない制動装置で制動することにより鉱山内の走路を走行する。また、自走車両２はホイストシリンダ２２を備え、ホイストシリンダ２２上部はベッセル３と接合ピン３４で軸着され、自走車両２の後部とベッセル３の後部とはヒンジピン３５で軸着されている。自走車両２は図示しない油圧装置を備えており、この油圧装置によりホイストシリンダ２２を伸縮させる。
【００２１】
図１、図２に示すように自走車両２は現在位置を検出する図示しないＧＰＳを備えており、車両通信手段２１により、自走車両２の現在位置を常時管理センタ５へ通信している。また、自走車両２は車両を識別するための、例えばＪ００１，Ｊ００２，・・・，Ｊ００Ｎというような車両番号コードと、現在の状態、例えばベッセル３を搭載しているかいないか、走行中か否か、排土中か否か、を示す車両状態信号を車両通信手段２１により常時管理センタ５へ通信している。また、車両通信手段２１による管理センタ５への通信は、管理センタ５から送信要求があった時点でも、所定時間毎でも良い。自走車両２は自律走行可能な無人車両でもよいし、オペレータが運転する有人車両でも良い。
【００２２】
また、図１、図２に示すように、ベッセル３は現在位置を検出する図示しないＧＰＳを備えており、ベッセル通信手段３１により、ベッセル３の現在位置を常時管理センタ５へ通信している。また、ベッセル３は識別するための、例えばＶ００１、Ｖ００２，・・・，Ｖ００Ｎというようなベッセル番号コードと、現在のベッセル３の状態、つまり自走車両２と結合しているかいないか、を示すベッセル状態信号をベッセル通信手段３１により常時管理センタ５へ通信している。また、ベッセル通信手段３１による管理センタ５への通信は、管理センタ５から送信要求があった時点でも、所定時間毎でも良い。
【００２３】
図２〜４に示すように、ベッセル３は、ベッセル３を支持できるように、下方に伸びて、張出すようになっている、支持脚３６を備えている。自走車両２にベッセル３が積載されている場合には支持脚３６は格納されている。支持脚３６は、ベッセル３の備えられた図示しない動力装置により格納したり張出したりできるようになっており、ベッセル通信手段３１を介して、管理センタ５または自走車両２から送信される支持脚駆動信号により動力装置を作動させ、遠隔で格納したり張出したりすることができる。
【００２４】
積荷を排土する場合には図３に示すように，ホイストシリンダ２２を伸長してベッセル３を傾動させ、積荷である鉱石をベッセル３の後部のリヤゲート３３を開いて排土する。
【００２５】
自走車両２とベッセル３とは分離できるようになっており、分離する場合には、図２に示す状態のようにホイストシリンダ２２を縮小した状態とし、その後ベッセル３の支持脚３６を伸ばして支持脚３６を接地させてベッセル３をわずかに浮かして、接合ピン３４と、ヒンジピン３５とに加わる荷重を無くした状態とする。そして、ホイストシリンダ２２の先端とベッセル３との接合ピン３４と、自走車両２とベッセル３後部を結合しているヒンジピン３５を外し、図４に示す状態のように、ベッセル３の支持脚３６を伸ばしてベッセル３を持ち上げて、自走車両２からベッセル３を分離する。この場合、ホイストシリンダ２２は自走車両２に図示しない保持手段により所定位置に保持されている。自走車両２とベッセル３とを結合する場合には、図４に示す状態から支持脚３６を格納してベッセル３を下げて、ホイストシリンダ２２の先端とベッセル３とを接合ピン３４で取り付け、自走車両２とベッセル３後部をヒンジピン３５とを取り付けて結合する。
【００２６】
ホイストシリンダ２２の先端とベッセル３との接合ピン３４と、自走車両２とベッセル３後部を結合しているヒンジピン３５の取り付け取り外しはベッセル３に備えられた図示しないピン脱着手段により行われる。ピン脱着手段はベッセル通信手段３１を介して、管理センタ５または自走車両２から送信されるピン脱着信号によりピン脱着手段を作動させ、遠隔で、ホイストシリンダ２２の先端とベッセル３との接合ピン３４、および自走車両２とベッセル３後部を結合しているヒンジピン３５の取り付け取り外しをそれぞれすることができる。
【００２７】
処理施設４はホッパ４に投入された鉱石を処理するための、図示しない、破砕機、分粒機等の鉱石処理設備を備え、鉱石を破砕して所定の成分、大きさに調整し、図示しないベルトコンベア等の搬送設備で図示しないストックヤードに、鉱石を調整して得られた生産物を貯蔵しておき、必要に応じて出荷する。そして、処理施設４は生産物である処理された鉱石の生産状況に応じて、必要な種類、成分の鉱石、例えば比重が２．８の高純度の鉄鉱石、また必要な鉱石の量、例えば４０ｔｏｎというようなデータを含む運搬要求信号を回線４２を介して管理センタ５に通信する。また運搬要求信号は、必要な鉱石が必要となる時間信号を含むようにして、例えば午前１０時には比重が２．８の高純度の鉄鉱石を４０ｔｏｎ、また午後２時には比重が２．５の低純度の鉄鉱石を３０ｔｏｎ、というように、順次運搬要求信号を管理センタ５に通信するようにしても良い。
【００２８】
処理施設４が管理センタ５と通信を行うための回線４２は、有線でも無線でも、無線電話回線または有線電話回線を用いたものでも良い。
【００２９】
管理センタ５は管理通信手段５１を備えており、複数の油圧ショベル１と、複数の自走車両２と、複数のベッセル３と、常時、信号をそれぞれ送受信している。つまり、前記のように管理センタ５は油圧ショベル１から掘削機通信手段１１により、油圧ショベル１の現在位置と、掘削機番号コードと、油圧ショベル１の作業状態コードと、ベッセル３に、どのような種類の鉱石をどのくらいの量、積載したかを表す積載状態コードとを受信している。その結果、受信した信号を管理センタ５のコントローラ５２により処理を行い、管理センタ５は複数のうちのどの油圧ショベル１が現在どこにいて、複数のうちのどのベッセル３にどのような鉱石をどれくらい積載したかを知ることができる。管理センタ５は油圧ショベル１から受信した前記のような信号データを、図示しない記憶装置に蓄積しておく。管理センタ５は鉱山の現場の位置や走行コースデータを記憶装置に蓄積している。管理センタ５は、処理設備４と一体であって、回線４２を不要としても良いし、管理センタ５がコンピュータ設備そのものであっても良い。管理センタ５の掘削機通信手段１１からの受信は必要なときでも、所定時間毎でも良い。
【００３０】
また、管理センタ５は複数のベッセル３からベッセル通信手段３１により常時、ベッセル３の現在位置と、ベッセル番号コードと、現在のベッセル３の状態を示すベッセル状態信号を受信している。その結果、管理センタ５は複数のうちのどのベッセル３が現在どこにいて、どのベッセル３がどの現場においてあるのか、また自走車両２に積載されているのかを知ることができる。管理センタ５はベッセル３から受信した前記のような信号データを、図示しない記憶装置に蓄積しておく。従って、管理センタ５は前記の油圧ショベル１からの信号とベッセル３からの信号とにより、ベッセル３の現在位置と、ベッセル３に積載してある鉱石の種類及び量とを把握することができる。管理センタ５のベッセル通信手段３１唐の受信は必要なときでも、所定時間毎でも良い。
【００３１】
また、管理センタ５は複数の自走車両２から車両通信手段２１により常時、自走車両２の現在位置と、車両番号コードと、車両状態信号とを受信している。その結果、管理センタ５は複数のうちのどの自走車両２が現在どこにいて、ベッセル３を自走車両２に積載しているのか、ベッセル３とは分離して自走車両２が単独でいるのか、走行しているのか、停車しているのか、排土中かを知ることができる。管理センタ５は自走車両３から受信した前記のような信号データを、図示しない記憶装置に蓄積しておく。管理センタ５の車両通信手段２１からの受信は必要なときでも、所定時間毎でも良い。
【００３２】
また、管理センタ５は油圧ショベル１の現在位置を把握しているので、あらかじめ記憶装置に蓄積された現場の鉱石データにより、必要な種類の鉱石がどの現場にあり、またその現場にどの油圧ショベル１がいるのかを検索することができる。従って、管理センタ５は選択した油圧ショベル１に掘削積載指令信号を管理通信手段５１により送信し、必要に応じて、選択したベッセル３に鉱石を掘削して、必要な量を積載するように指令を出す。掘削積載指令信号を受信した油圧ショベル１は鉱石を掘削してベッセル３に鉱石を必要な量だけ積載する。
【００３３】
油圧ショベル１は有人運転機械でも無人運転機械でも良く、有人運転機械の場合はオペレータがあらかじめ現場にあるベッセル３に鉱石を積載して、オペレータが管理センタ５に油圧ショベル１から掘削機通信手段１１により、油圧ショベル１の現在位置と、掘削機番号コードと、油圧ショベル１の作業状態コードと、ベッセル３にどの鉱石をどのくらいの量を積載したかを表す積載状態コードとを送信しても良い。また油圧ショベル１が無人運転機械の場合は、管理センタ５からは、あらかじめ油圧ショベル１の配置された現場の鉱石の種類が通信データとして油圧ショベル１に通信されており、管理センタ５からの指令により、油圧ショベル１が現場にあるベッセル３に鉱石を積載して、積載を終了すると、油圧ショベル１から掘削機通信手段１１により管理センタ５に、油圧ショベル１の現在位置と、掘削機番号コードと、油圧ショベル１の作業状態コードと、ベッセル３にどの鉱石をどのくらいの量を積載したかを表す積載状態コードとを送信しても良い。
【００３４】
また、管理センタ５は処理施設５からの運搬要求信号を受信すると必要な種類の鉱石と量を積載しているベッセル３の位置を検索して選択し、そのベッセル３を搭載して処理施設に運搬可能な、つまりベッセル３を搭載していない自走車両２を検索して選択する。また、ベッセル状態信号により検索したベッセル３が自走車両２に搭載されていないことを確認しても良い。検索されたベッセル３が複数の場合には積載された鉱石の種類と量が運搬要求信号のデータに近いものを選択する。例えば、運搬要求信号が比重２．６の鉄鉱石を４０ｔｏｎであれば所定の誤差範囲の比重２．５５〜２．６５で３５〜４５ｔｏｎの条件に合致したベッセル３を選択する。また、検索された自走車両２が複数の場合には、自走車両２の現在位置から算出される、ベッセル３を搭載して処理施設４のホッパ４１に排土するまでの時間が、最短となる自走車両２を選択する。
【００３５】
そして、管理センタ５は選択した自走車両２に運搬指令信号を送信する。送信した運搬指令信号には、選択したベッセル３の現在位置と、ベッセル３を識別するためのベッセル番号コードとが含まれている。運搬指令信号を受信した自走車両２は選択されたベッセル３の位置に行き、ベッセル３を搭載して結合し、処理施設４のホッパ４１の位置まで走行して、ホッパ４１に鉱石を排土する。
【００３６】
自走車両２は排土を終了すると、管理センタ５に排土完了信号を送信する。管理センタ５は排土完了信号を受信すると、ベッセル３を配置すべき現場を選択して、選択した現場の位置を自走車両２へ送信するとともに、自走車両２に走行指令信号を発信する。走行指令信号を受信した自走車両２は指定された現場まで走行し、その現場で、管理センタ５または自走車両２から送信されるピン脱着信号によりピン脱着手段を作動させ前述した方法によりベッセル３を分離する。
【００３７】
分離されたベッセル３は支持脚３６を格納して油圧ショベル２による鉱石の積載を待機する。分離されたベッセル３はピン脱着手段の状態を検出することにより、ベッセル通信手段３１を介して、ベッセル状態信号を管理センタ５に送信する。また、分離されたベッセル３はベッセル３の現在位置を、ベッセル通信手段３１を介して、管理センタ５に送信する。分離されたベッセル３は、必要に応じて支持脚３６を張出したまま、油圧ショベル２による鉱石の積載を待機していても良い。
【００３８】
また、管理センタ５は処理施設４からの、必要な鉱石が必要となる時間信号を含む運搬要求信号を受信した場合には、鉱石が必要な時間に応じて選択したベッセル３、及び自走車両３のデータを、運搬指令信号を送信する、算出された予定時間とともに記憶しておき、タイムスケジュールを自動的に作成して、タイムスケジュールにあわせて自走車両２に順次運搬指令信号を送信しても良い。こうすることで、連続的に効率的な運搬が可能となる。鉱石が必要な時間に応じて選択したベッセル３、及び自走車両３のデータを、運搬指令信号を送信する算出された予定時間はそれぞれ単数組のデータでも複数組のデータでも良い。
【００３９】
つぎに、図５に示すフローチャートにより鉱山運搬管理システム１０の作用を説明する。
【００４０】
ステップＳ１０１で、処理施設４は生産物の生産状況に応じて、必要な成分の鉱石、例えば比重が２．８の高純度の鉄鉱石、また必要な鉱石の量、例えば４０ｔｏｎを含む運搬要求信号を回線４２を介して管理センタ５に通信する。
【００４１】
ステップＳ１０２で、管理センタ５は処理施設５からの運搬要求信号に基いて、必要な種類の鉱石と量を積載しているベッセル３を選択し、また運搬に最適な自走車両２を選択する。
【００４２】
ステップＳ１０３で、管理センタ５は選択した自走車両２に運搬指令信号を送信する。
【００４３】
ステップＳ１０４で、運搬指令信号を受信した自走車両２は選択されたベッセル３の位置に走行する。
【００４４】
ステップＳ１０５で、自走車両２はベッセル３を搭載して結合する。
【００４５】
ステップＳ１０６で、自走車両２は処理施設４のホッパ４１の位置まで走行する。
【００４６】
ステップＳ１０７で、自走車両２はホッパ４１に鉱石を排土する。
【００４７】
ステップＳ１０８で、自走車両２は排土を終了すると、管理センタ５に排土完了信号を送信する。
【００４８】
ステップＳ１０９で、管理センタ５は排土完了信号を受信すると、ベッセル３を配置すべき現場を選択する。
【００４９】
ステップＳ１１０で、管理センタ５は選択した現場の位置を自走車両２へ送信するとともに、自走車両２に走行指令信号を発信する。
【００５０】
ステップＳ１１１で、走行指令信号を受信した自走車両２は指定された現場まで走行する。
【００５１】
ステップＳ１１２で、自走車両２が走行して到着した現場で、管理センタ５または自走車両２から送信されるピン脱着信号によりピン脱着手段を作動させベッセル３を分離する。
【００５２】
以上詳述したように、本発明の鉱山運搬管理システム１０によれば、必要なときに必要な鉱石を必要な量、自走車両２がベッセル３を搭載して鉱石を運搬するので、従来のようにダンプトラックを多数揃えるよりも、必要なベッセル３と、ベッセル３を運搬するのに必要な台数の自走車両２を揃えればよく、例えば従来は５０台のダンプトラックが必要であったものが、５０台のベッセル３と、そのベッセル３を必要に応じて運ぶために必要な３０台の自走車両２を揃えればよいので車両経費が大幅に削減される。
【００５３】
また、タイミング良く必要な種類、及び量の鉱石が運搬できるので鉱山の生産が効率的に行える。
【００５４】
また、自走車両２を必要なときに、すでに積載されたベッセル３の位置に走行させればよいので、従来のようにダンプトラックが積載のために待機するような待ち時間の発生がなく、鉱山での鉱石の運搬が効率的に行うことができる。
【００５５】
本発明の鉱山運搬管理システム１０が適用できる鉱山は、鉄鉱山でも、銅鉱山でも、金鉱山でも、ダイヤモンド鉱山でも良く、金属鉱山でも、非金属鉱山でも良い。また、鉱山には土砂、砂、岩石、砂利を生産する場合も含み、単に掘削土を移動する現場であっても良い。処理設備４は鉱石を処理するものだけでなく、掘削した土を埋め戻す場合の土工機械であっても良い。掘削積込機械は油圧ショベル１に限らず、ホイールローダであっても良く、掘削はせずとも、積み込みのみを行う積込機械であってもよい。
【００５６】
また、現在位置を検出する手段としては、ＧＰＳに限るものではなく、現在位置を検出できるジャイロを用いたものでも，既定位置のアンテナからの信号により現在位置を検出するものであっても良い。
【００５７】
また、掘削機通信手段１１、車両通信手段２１、ベッセル通信手段３１、管理通信手段５１、はそれぞれ無線電話回線を用いたものでも良い。
【図面の簡単な説明】
【図１】本発明の鉱山運搬管理システムの構成を表す図である
【図２】自走車両がベッセルを搭載した状態を示す図である
【図３】自走車両が排土作業を行っている状態を示す図である。
【図４】自走車両とベッセルが分離した状態を示す図である。
【図５】鉱山運搬管理システムの作用を示すフローチャート図である。
【符号の説明】
１…油圧ショベル、２…自走車両、３…ベッセル、４…処理設備、５…管理センタ、１０…鉱山運搬管理システム、１１…掘削機通信手段、２１…車両通信手段、３１…ベッセル通信手段、３６…支持脚、４１…ホッパ、５１…管理通信手段、５２…コントローラ。
【図１】
2004102322.tif 000003
【図２】
2004102322.tif 000004
【図３】
2004102322.tif 000005
【図４】
2004102322.tif 000006
【図５】
2004102322.tif 000007